(57)【要約】      （修正有）【課題】設計波形通りの波形を有し、伝送路全体の機能を低下させることの少ないフィルタモジュール及びそのフィルタモジュールの製造方法を提供する。【解決手段】信号光を伝送する入側光ファイバ１と、入側光ファイバ１に接続された出射部２と、出射部２からの信号光を透過又は反射する誘電体多層膜フィルタ３と、透過又は反射した信号光を受光する受光部４と、受光部４に接続されて通信光を伝送する出側光ファイバ５とを備えたフィルタモジュールであって、モニタ光を入側光ファイバ１から入射して、受光部４で受光されるモニタ光の受光量が最大となり、群遅延による光学特性が劣化しないようにモニタ光の波長を選択して、フィルタモジュールを調整する。【選択図】図２２
2005215623.tif 000002
【特許請求の範囲】
【請求項１】
信号光を伝送する入側光ファイバに接続された出射部と、
前記出射部からの信号光を所定の角度で受ける誘電体多層膜フィルタと、
前記誘電体多層膜フィルタを透過又は反射した前記信号光を受光する１又は２以上の出側光ファイバの接続された受光部と、を備え、
前記出射部からの信号光が前記受光部で受光されるように調芯されたフィルタモジュールであって、
選択されたモニタ光の前記受光部における受光量が最大となり、かつ群遅延によって、前記受光部で受光される前記モニタ光の光学特性が劣化しないように、前記モニタ光の波長が選択して調整されていることを特徴とする誘電体多層膜フィルタ型フィルタモジュール。
【請求項２】
前記誘電体多層膜フィルタが、透過率又は反射率の少なくとも一方が１０ｄＢ／ｎｍ以上の急峻な透過率又は反射率を有することを特徴とする請求項１記載の誘電体多層膜フィルタ型フィルタモジュール。
【請求項３】
使用する波長帯域内における群遅延の最大値をＷとし、最小値をＱとした場合において、使用する波長帯域内の群遅延の値がＱより大きくＷ以下となる波長が前記モニタ光の波長として用いられることを特徴とする請求項１又は２記載の誘電体多層膜フィルタモジュール。
【請求項４】
下記の工程を備えたことを特徴とする誘電体多層膜フィルタモジュールの製造方法。
（ａ）信号光を伝送する入側光ファイバに接続された出射部と、前記出射部からの信号光を所定の角度で受ける誘電体多層膜フィルタと、前記誘電体多層膜を透過又は反射した前記信号光を受光する１又は２以上の受光部と、を光軸上に配置し、
（ｂ）モニタ光を用いて、前記受光部で受光される前記モニタ光の受光量が最大となり、群遅延によって前記受光部で受光される前記モニタ光の光学特性が劣化しないように、前記モニタ光の波長を選択して調芯する。
【請求項５】
前記誘電体多層膜フィルタとして、透過率又は反射率の少なくとも一方が１０ｄＢ／ｎｍ以上の急峻な透過率又は反射率を用いることを特徴とする請求項４記載の誘電体多層膜フィルタ型フィルタモジュールの製造方法。
【請求項６】
前記モニタ光の波長として、モジュールとして使用する波長帯域内における群遅延の最大値をＷとし、最小値をＱとした場合において、使用する波長帯域内の群遅延の値がＱより大きくＷ以下となる波長を用いることを特徴とする請求項４又は５記載の誘電体多層膜フィルタモジュールの製造方法。
【発明の詳細な説明】
【技術分野】
【０００１】
光伝送路に用いられ、所定の波長帯域の信号光を透過又は反射させる誘電体多層膜フィルタを用いたフィルタモジュールに関する。
【背景技術】
【０００２】
近年の光ネットワークでは、光の波長を合分波するバンドパスフィルタ(ＢＰＦ)、 連続した信号波長帯を一括して合分波するバンドセパレータフィルタ、 特定の信号帯域を透過/遮断するエッジフィルタ等が頻繁に使用されている。このようなフィルタを実現する方法のひとつとして、誘電体多層膜フィルタを用いた方法がある。
【０００３】
一般的に誘電体多層膜型フィルタモジュールの構成は、大別して以下の２種類が一般的である。ひとつのタイプは、透過光のみを使用する２ポートタイプであり、もう一方のタイプは、透過光と反射光を使用する３ポートタイプのフィルタモジュールである。
【０００４】
このフィルタモジュールのうち空間結合型モジュールの一般的な構成例と波形を、図１と図２に示す。図１（ａ）は、２ポートタイプのモジュールの構成を示し、図２（ａ）は、３ポートタイプのモジュールの構成を示す。また、図１（ｂ）と図２（ｂ）は各モジュールの光透過率と遮断特性を示す。
【０００５】
このモジュールはケーシング１６に各部材が取り付けられている。ケーシング１６の左側には、コリメータレンズを有する出射部１２が取り付けられており、この出射部１２には、入側光ファイバ１１が接続されている。
ケーシング１６の中央部には、誘電体多層膜フィルタ１３が取り付けられている。また、ケーシング１６の右側には、コリメータレンズを有する受光部１４が取り付けられており、この受光部１４には、出側光ファイバ１５が接続されている。
【０００６】
入側光ファイバ１１内を伝送された信号光は、出射部１２のコリメータレンズから誘電体多層膜フィルタ１３へ出射される。誘電体多層膜フィルタ１３の光学特性により、所定の波長帯域の信号光は透過し、その他の波長帯域の信号光は遮断される。透過された信号光は、受光部１４のコリメータレンズで受光され、更に出側光ファイバ１５内を伝送される。
【０００７】
図１（ａ）に示すモジュールの透過率／遮断特性を、図１（ｂ）に示す。グラフの横軸に波長（単位ｎｍ）を取り、縦軸に透過率（Ｔｒａｎｓｍｉｔｔａｎｃｅ：単位ｄＢ、log（L/L0 ）L: 透過光の強度、L0：入射強度）を取っている。このグラフでは、波長が約１５７０ｎｍよりも短い波長帯域の信号光は透過し、それ以上の波長帯域の信号光を遮断することが示されている。
【０００８】
図２（ａ）は、３ポートタイプのフィルタモジュールの構成を示す概要図である。このモジュールもケーシング１６に各部材が取り付けられている。ケーシング１６の左側には、２芯コリメータレンズを有する入出射部1７が取り付けられており、この入出射部１７には、入側光ファイバ１１と出側光ファイバ１８が接続されている。
【０００９】
ケーシング１６の中央部には、誘電体多層膜フィルタ１３が取り付けられている。ケーシング１６の右側には、２芯コリメータレンズを有する受光部１４が取り付けられており、この受光部１４には、出側光ファイバ１５が接続されている。
【００１０】
入側光ファイバ１１内を伝送された信号光は、入出射部１７の２芯コリメータレンズから誘電体多層膜フィルタ１３へ出射される。誘電体多層膜フィルタ１３の光学設計により、所定の波長帯域の信号光は透過され、その他の波長帯域の信号光は反射される。透過された信号光は、受光部１４のコリメータレンズで受光され、更に出側光ファイバ１５内を伝送される。また、反射された信号光は、再び入出射部１７の２芯コリメータレンズで受光され、受光された信号光は出側光ファイバ１８内を伝送される。入出射部１７は、出射部と受光部の両方を有している。
【００１１】
図２（ａ）に示されたこのモジュールの透過率／反射率を表したのが、図２（ｂ）、（ｃ）に示すグラフである。図２（ｂ）のグラフは反射側の特性を示し、１５４８．５ｎｍ近傍以下、及び、１５５１．５ｎｍ近傍以上の波長帯域の信号光が、誘電体多層膜フィルタ１３で反射されることを示している。また、図２（ｃ）のグラフでは透過光の特性を示し、波長が１５４８．５ｎｍ近傍から１５５１．５ｎｍ近傍の間の波長帯域の信号光が、誘電体多層膜フィルタ１３を透過されることを示している
【００１２】
ここで、誘電体多層膜フィルタ１３の入射角度も問題となる。図１、図２に示すようなフィルタモジュールの場合、誘電体多層膜１３の膜面に対して、２〜６°の角度をもたせて光線を入射させて使用するのが一般的である。
その理由は、２ポートモジュールの場合には、図３に示すように、誘電体多層膜フィルタ１３で反射された信号光が、入力側（出射部１２のコリメータレンズ）に、戻らないように反射減衰量を大きくする必要があるからでる。
【００１３】
また、この場合、誘電体多層膜フィルタ１３は、光軸に対する角度を変化させることにより透過波長又は反射波長をシフトさせることもできるので、このモジュールの波長特性を微調整、即ち調芯することができる。多層膜形状等の特性が与えられている場合には、光軸に対する多層膜の角度を変化させることにより調芯を行うことができる。
【００１４】
３ポートモジュールの場合には、誘電体多層膜１３を透過した信号光の一部が受光部１４で受光され、且つ、誘電体多層膜１３で反射された信号光が入出射部１７で受光される必要があるので、誘電体多層膜フィルタ１３の入射角度は限定される。
【００１５】
上述のようなモジュールでは、対向に設置されたコリメータレンズを介して各
光ファイバに光線を入射させる必要がある。このため、モジュール組立時には、図５に示すように、対向するコリメータレンズの光軸を合わせる、「調芯」
作業が不可欠である。なお、本発明の場合において「調芯」を「受光部の位置をずらすこと」として定義する。
【００１６】
次に、一般的なバンドパスフィルタの透過波形の例として、透過帯域の中心波長で光量を測定し、受光量が最大になるように調芯して製作されたフィルタモジュールの実測波形を図６に示す。
以下、このような特性のバンドパスフィルタ（以下ＢＰＦと称する。）を例にして従来の問題点と本発明の内容を説明する。
【発明の開示】
【発明が解決しようとする課題】
【００１７】
図７は、図６に示したＢＰＦの実測波形と設計波形（設定する波形）を重ねたグラフである。この図７のグラフから、実測波形が設計波形に比べて異なっていることがわかる。特に、透過帯域両サイドのエッジ部分が丸くなっていることがわかる。なお、透過率はlog（Ｌ/Ｌ0 ）（Ｌ：出射光強度、Ｌ0：入射光強度）である。
【００１８】
図８の表１は、設計波形と実測波形の透過波形の相違を示す。なお以下に、表に記載された項目の定義を示す。＠を最大透過率とし、＠−０．２ｄＢ又は＠−２５ｄＢの欄の数値は、ＢＰＦの最小損失点（最大透過率）から、透過率が＠から０．２ｄＢ又は２５ｄＢ下がった位置における波長の帯域幅（ｎｍ）を示している。
【００１９】
また、矩形度は、１００×(−０．２ｄＢ下がった透過波長帯域幅÷−２５ｄＢ下がった透過波長帯域幅)によって算出される。λcは、ＢＰＦの＠−３dＢの透過波長帯域幅における中心波長である。リップルは、λc±１．３１ｎｍの帯域内での、透過率の最大値と最小値の差を表している。従って、リップルが零であることが望ましい。
ここで、矩形度は、ＢＰＦの特性を評価するパラメータのひとつであり、矩形度が大きくなると、光の透過帯域が広くし、かつ遮断特性が良い(急峻である)ことを示す。
【００２０】
図７に示すように実際に製作したモジュールの波形をみると、透過帯域幅(最大透過率から−０．２ｄＢ下がった帯域幅)が小さくなり、リップルが増大していることがわかる。また、矩形度も劣化している。
光伝送経路に、透過帯域が狭くなったフィルタや、リップルの大きいフィルタを設置した場合、リップルやエッジ部分の波形劣化等の影響で、伝送信号強度に損失を与えてしまう。その結果、光伝送路全体の機能を低下させてしまうことになる。
【００２１】
従って、本発明の目的は、設計波形通りの波形を有し、伝送路全体の機能を低下させることの少ないフィルタモジュール及びそのフィルタモジュールの製造方法を提供することにある。
【課題を解決するための手段】
【００２２】
上述の課題を解決するため、本発明のフィルタモジュールの第１の態様は、下記のモジュールである。
信号光を伝送する入側光ファイバに接続された出射部と、
前記出射部からの信号光を所定の角度で受ける誘電体多層膜フィルタと、
前記誘電体多層膜フィルタを透過又は反射した前記信号光を受光する１又は２以上の出側光ファイバの接続された受光部と、を備え、
前記出射部からの信号光が前記受光部で受光されるように調芯されたフィルタモジュールであって、
選択されたモニタ光の前記受光部における受光量が最大となり、かつ群遅延によって、前記受光部で受光される前記モニタ光の光学特性が劣化しないように、前記モニタ光の波長が選択して調整されていることを特徴とする誘電体多層膜フィルタ型フィルタモジュールである。
【００２３】
本発明のフィルタモジュールの他の態様は、
前記誘電体多層膜フィルタが、透過率又は反射率の少なくとも一方が１０ｄＢ／ｎｍ以上の急峻な透過率又は反射率を有することを特徴とする誘電体多層膜フィルタ型フィルタモジュールである。
【００２４】
本発明のフィルタモジュールの他の態様は、使用する波長帯域内における群遅延の最大値をＷとし、最小値をＱとした場合において、使用する波長帯域内の群遅延の値がＱより大きくＷ以下となる波長が前記モニタ光の波長として用いられることを特徴とする誘電体多層膜フィルタモジュールである。
【００２５】
本発明は、下記の工程を備えたことを特徴とする誘電体多層膜フィルタモジュールの製造方法を提供する。
（ａ）信号光を伝送する入側光ファイバに接続さてた出射部と、前記出射部からの信号光を所定の角度で受ける誘電体多層膜フィルタと、前記誘電体多層膜を透過又は反射した前記信号光を受光する１又は２以上の受光部と、を光軸上に配置し、
（ｂ）モニタ光を用いて、前記受光部で受光される前記モニタ光の受光量が最大となり、群遅延によって前記受光部で受光される前記モニタ光の光学特性が劣化しないように、前記モニタ光の波長を選択して調芯することを特徴とする誘電体多層膜フィルタ型フィルタモジュールの製造方法である。
【００２６】
誘電体多層膜フィルタ型フィルタモジュール製造の他の態様は、前記誘電体多層膜フィルタとして、透過率又は反射率の少なくとも一方が１０ｄＢ／ｎｍ以上の急峻な透過率又は反射率を用いることを特徴とする誘電体多層膜フィルタ型フィルタモジュールの製造方法である。
【００２７】
更なる態様は、前記モニタ光の波長として、モジュールとして使用する波長帯域内における群遅延の最大値をＷとし、最小値をＱとした場合において、使用する波長帯域内の群遅延の値がＱより大きくＷ以下となる波長を用いることを特徴とする誘電体多層膜フィルタモジュールの製造方法である。
【発明の効果】
【００２８】
本発明により、設計波形通りの波形を有し、伝送路全体の機能を低下させることの少ない誘電体多層膜型フィルタモジュール及びそのフィルタモジュールの製造方法を提供することができる。
【発明を実施するための最良の形態】
【００２９】
以下、図面を用いながら本発明の誘電体多層膜型フィルタモジュールの実施形態を詳細に説明する。
【００３０】
（波形劣化の要因の説明）
まず、本発明のフィルタモジュールの実施形態を説明する前段として、波形劣化の原因について説明する。
波形劣化の１要因として、群遅延特性が影響している。まず、群遅延（Ｇｒｏｕｐ  Ｄｅｌａｙ：以下ＧＤと称する。）を簡単に説明する。例えば、波長λ１の光信号１の速度をＣ１、波長λ２の光信号２の速度をＣ２とし、光の伝送される距離をＬとすると、ＧＤは、ＧＤ＝Ｌ／Ｃ１−Ｌ／Ｃ２（Ｃ１＜Ｃ２とした場合）で表される。従って、伝送距離Ｌが長いほどＧＤは大きくなる。
【００３１】
ここで、ＢＰＦの群遅延特性と透過率の関係を図９に示す。図９の横軸は波長（ｎｍ）を示し、縦軸は透過率（ｄＢ）とＧＤ（ｐｓ）を表している。図９から明らかなように、透過波形の両側のエッジ部分でＧＤ値が大きくなっている。
【００３２】
ＧＤにより波形劣化が生じている誘電体多層膜フィルタでは、ＧＤが発生し、波長によってフィルタを通過するのに要する時間が異なる。ＧＤが大きすぎる場合には、膜内における多重反射成分が多いと考えられる。つまり、図１０に模式的に示すように、基板２４上に形成された多層膜２２中の各層界面での反射を繰り返すことにより、光路長が長くなり、透過するまでに時間を要するためである。
【００３３】
また、波形劣化の他の原因として、多重反射による光路ずれが考えられる。上述のように、誘電体多層膜方のフィルタモジュールでは、フィルタに対して２〜６°の角度をもたせて光線を入射させて使用している。斜入射の状態で多重反射が発生すると、図１１に示すように、多重反射の多い透過光成分と少ない透過光成分とで光路がずれてしまう。誘電体多層膜のフィルタとしては、Ｔａ２Ｏ５（高屈折率）、ＳｉＯ２（低屈折率）の膜を利用できる。基板は通常ガラスである。
【００３４】
従来、ＢＰＦを調芯する場合、透過帯域の中心波長の透過率が最大となるように調芯を行う。この場合、ＧＤの少ない透過光の透過率が最大となるように調芯していることになる。
しかし、ＧＤの少ない透過光の透過率が最大となるように調芯を行うと、ＧＤの大きい透過光は受光部から外れてしまい、その結果透過率が下がってしまう。このため、透過帯域両サイドのエッジ部分の波形が劣化すると考えられる。図９で説明するとＧＤが大きい部分では透過率が下がってしまうことになる。
【００３５】
（本発明のＧＤを考慮した調芯方法の説明）
上述の波形劣化の要因を考慮すると、ＧＤの大きい波長帯の透過光路に合わせて調軸することによって、透過帯両サイドのエッジ部分の波形劣化を軽減できると考えられる。
つまり、調芯時にモニタする波長を、図１２に示すＧＤの最小値より大きく最大値以下に相当する波長に設定する中心波長からオフセットさせることで、受光部をＧＤの影響によってずれた光路上に調整することができる。この調芯方法を図１３に模式的に示す。これにより、透過帯両サイドのエッジ部分の波形劣化、透過率が軽減できる。なお、ここでは受光部をずらすことによってＧＤの値を大きくしているが、入出射部をずらすことや多層膜の厚みを変えることによってＧＤの値を変えることもできる。
【００３６】
上記のようなＧＤを考慮した調芯を行うことで、ＧＤに起因する波形劣化を防ぐことができる。ＢＰＦの透過率の例として、図１４に、１０ｄＢ／ｎｍ以上の急峻な透過率を有するＢＰＦの例を示す。図１４から明らかなとおり、ＧＤを考慮した調芯を行うことによって、透過率が−０．２ｄＢ下がった位置における波長帯の幅が広くなり、矩形度が良くなっている。具体的には、図１５に示す表からわかるように、矩形度は、従来の調芯方法では６４．５７％であったものが、７２．８３％にまで向上している。また、リップルも０．６４であったものが、０．３５まで改善されている。
【００３７】
その結果、このフィルタモジュールを透過した光信号の劣化を防ぐことができ、更に、このフィルタモジュールを光伝送路に組み込むことで、光伝送路全体の機能を向上させることができる。
尚、この調製方法を透過率を例に取って説明したが、反射率の場合も全く同様である。
【００３８】
（実施例）
次に、一般的な３ポートの誘電体多層膜型フィルタモジュールを例に、具体的な実施例を説明する。３ポートの誘電体多層膜型フィルタモジュールの各構成部材の配置を、図１６の概要図に示す。
【００３９】
この誘電体多層膜型フィルタモジュールは、ケーシング６に各構成部材が取り付けられている。ケーシング６の左側には、２芯コリメータレンズを有する入出射部７が取り付けられており、この入出射部７には、入側光ファイバ１と出側光ファイバ８が接続されている。入出射部７は、出射部と受光部の両方を有している。
【００４０】
ケーシング６の中央部には、誘電体多層膜フィルタ３が取り付けられている。ケーシング６の右側には、コリメータレンズを有する受光部４が取り付けられており、この受光部４には、出側光ファイバ５が接続されている。
【００４１】
入側光ファイバ１内を伝送された信号光は、入出射部７の２芯コリメータレンズから誘電体多層膜フィルタ３へ出射される。誘電体多層膜フィルタ３の光学特性により、所定の波長帯域の信号光は透過し、その他の波長帯域の信号光は反射される。透過された信号光は、受光部４のコリメータレンズで受光され、更に出側光ファイバ５内を伝送される。また、反射された信号光は、再び入出射部７のコリメータレンズで受光され、受光された信号光は出側光ファイバ８内を伝送される。
【００４２】
初めに、信号光を反射する場合について調芯を行った実施例を説明する。反射側の調芯は、図１７に示すように、入側光ファイバ１から伝送された信号光が、入出射部７の２芯コリメータレンズから出射されて、誘電体多層膜フィルタ３で反射され、再び入出射部７の２芯コリメータレンズに入射するように調芯を行う。
【００４３】
ＢＰＦの反射率の設計値を図１８に示す。このＢＰＦは、１０ｄＢ／ｎｍ以上の急峻な反射率を有している。反射のエッジ部分でＧＤが大きくなっているため、反射の調芯もＧＤを考慮する必要がある。
反射率の場合も、透過率と同様に、多重反射によって光路がずれると考えられる。このため、図１９に示すように、ＧＤの大きい波長（多重反射の多い波長）で調芯を行うことで、ＧＤの影響による波形劣化を防ぐことができる。
【００４４】
次に、ＧＤの小さい１５５３ｎｍの波長で調芯（具体的には?）を行った場合と、ＧＤが比較的大きい１５５０．４ｎｍで調芯を行った場合の反射波形データを、図２０を用いて比較する。
反射のＧＤの比較的大きい１５５０．４ｎｍで調芯することによって、急峻なアイソレーションが得られている。
【００４５】
また、図２１の表は、ＧＤの大きい１５５０．４ｎｍで調芯した場合の矩形度等が改善されているところを示す。帯域幅＠−０．２ｄＢ又は帯域幅＠−１５ｄＢと記載された欄の数値は、ＢＰＦの最小損失点（最大透過率）から、透過が０．２ｄＢ又は１５ｄＢ下がった位置における遮断波長帯域幅（ｎｍ）を示している。また、矩形度は、１００×(−１５ｄＢ幅÷−０．２ｄＢ幅)によって算出される。
以上のデータから、ＧＤを考慮して調芯を行うことで、矩形度が５９．７５％から６９．７８％に改善されており、反射波形の劣化を防いでいることがわかる。
【００４６】
次に、信号光が透過する場合について、調芯を行った実施例を説明する。
透過の調芯は、図２２に示すように、入側光ファイバ１から伝送された信号光が、入出射部７の２芯コリメータレンズから出射して、誘電体多層膜フィルタ３を透過し、対向設置された受光部４のコリメータレンズに入射するように調芯を行う。
【００４７】
また、ＢＰＦの透過率の設計値を図２３に示す。このＢＰＦは、１０ｄＢ／ｎｍ以上の急峻な透過率を有している。透過のエッジ部分でＧＤが大きくなっているため、この部分のＧＤを考慮する必要がある。ここで、ＧＤの小さい１５４８．４ｎｍの波長(中心波長)で調芯を行った場合と、ＧＤが比較的大きい１５４９．８ｎｍで調芯を行った場合の反射波形データを図２４を用いて比較する。
透過のＧＤの比較的大きいで１５４９．８ｎｍ調芯することによって、急峻なアイソレーションが得られている。
【００４８】
また、図２５の表は、ＧＤの大きい１５５０．４ｎｍで調芯した場合の矩形度等が改善されていることを具体的に示す。帯域幅＠−０．２ｄＢ又は帯域幅＠−１５ｄＢと記載された欄の数値は、ＢＰＦの最小損失点から、透過が０．２ｄＢ又は１５ｄＢ下がった点における帯域幅（ｎｍ）を示している。また、矩形度は、１００  ×  (−１５ｄＢ幅÷−０．２ｄＢ幅)によって算出される。
【００４９】
中心波長で透過の調芯を行った場合に比べ、透過のＧＤの比較的大きい１５４９．８ｎｍで調芯することによって、矩形度が改善され（６４．５７％から７２．８３％）、リップルが減少し（０．６４ｄＢから０．３５ｄＢへ）、透過帯域幅(＝−０．２ｄＢ幅)が広くなって、急峻なアイソレーションが得られている。以上のデータから、ＧＤを考慮して調芯を行うことで、透過波形の劣化を防げることがわかる。
【００５０】
（その他の実施形態）
ＧＤを考慮した調芯については、上述のＧＤの比較的大きい波長を用いて行う方法だけでなく、その用途に応じて、ＧＤの小さい波長からＧＤの最も大きい波長まで任意に設定することができる。
言い換えると、多層膜フィルタの設計（透過（遮断）波長、帯域幅、矩形度、リップル）値により、必要に応じてモニタ光の波長を設定すればよい。例えば、多層膜フィルタの使用波長帯域内における群遅延の最大値をＷとし、最小値をＱとすると、多層膜フィルタの設計（帯域幅、矩形度、リップル）値により、ＧＤの値がＱより大きく、Ｗ以下に相当する任意の波長をモニタ光として目的に応じて選択し、調芯を行えばよい。
【００５１】
次に図２３を例として具体的に説明する。図２３ではＧＤの最大値Ｗが１８ｐｓであり、最小値Ｑが６ｐｓである。このためモニタ光の波長は、ＧＤの値が６ｐｓより大きく１８ｐｓ以下に相当する波長１５４６．８ｎｍ〜１５５０．２ｎｍから設定すればよい。ただし、この際、ＧＤが最小である波長１５４８．４ｎｍはモニタ光として設定しない。
【００５２】
図２５は、モニタ光として波長１５４９．８ｎｍを設定し、各特性（帯域幅、矩形度、リップル）の評価を行った結果であるが、ＧＤが最小である波長１５４８．４ｎｍをモニタ光として設定した場合より、各特性が良くなっている。さらに各特性を良くするためには、さらに大きいＧＤの値に相当する波長をモニタ光として設定すればよい。ただし、この場合、透過率が下がってしまうので、各特性（帯域幅、矩形度、リップル）と透過率のバランスを考慮する必要がある。
【００５３】
上述のフィルタモジュールでは、信号光の出射、受光をコリメータレンズを用いて行っているが、グリーンレンズを用いることも可能である。
また、本発明のフィルタモジュールの実施形態には、上述の実施形態に限られず、その他あらゆる実施形態が考えられる。
【産業上の利用分野】
【００５４】
本発明のＧＤを考慮した調芯を行うことによって、ＧＤに起因する波形劣化を防ぐことができる。更に、このフィルタモジュールを光伝送路に組み込むことで、光伝送路全体の機能を向上させることができる。
【００５５】
また、本発明では、調芯時にモニタする波長を、ＧＤの最も少ない波長からＧＤの最も大きい波長まで任意に設定することが可能であり、各々の要求に最も適した波形を備えたフィルタモジュールを提供することができる。
【図面の簡単な説明】
【００５６】
【図１】（ａ）は、従来の２ポートタイプのフィルタモジュールの構造を示す概略図である。（ｂ）は、従来の２ポートタイプのフィルタモジュールの透過／遮断波形を示すグラフである。
【図２】（ａ）は、従来の３ポートタイプのフィルタモジュールの構造を示す概略図である。（ｂ）は、従来の３ポートタイプのフィルタモジュールの透過／反射波形を示すグラフである。
【図３】従来の２ポートタイプのフィルタモジュールの信号光の伝送状態を示す図である。
【図４】従来の３ポートタイプのフィルタモジュールの信号光の伝送状態を示す図である。
【図５】対向するコリメータレンズの調芯作業を示す図である。
【図６】透過波長の中心波長で受光量が最大となるように調芯されたフィルタモジュールの実測波形である。
【図７】図６に示したＢＰＦの実測波形と設計波形を重ねたグラフである。
【図８】図７に示した波形の特性を示した表である。
【図９】ＢＰＦのＧＤ特性と透過率の関係を表したグラフである。
【図１０】多層膜フィルタ内での多重反射を示した図である。
【図１１】多重反射により光路がずれるところを示した図である。
【図１２】ＧＤ特性と透過率の関係を表したグラフ上で、ＧＤを考慮した調整波長を示した図である。
【図１３】ＧＤを考慮した調芯の方法（透過側）を示した図である。
【図１４】ＧＤを考慮した調芯を行った場合の効果を示す波形を示したグラフである。
【図１５】図１４に示した波形の特性を示した表である。
【図１６】本発明の３ポートタイプのフィルタモジュールの構造を示す図である。
【図１７】図１６のフィルタモジュールにおいて、反射側の調芯の方法を示す図である。
【図１８】ＢＰＦの反射率の設計値とＧＤ特性を示したグラフである。
【図１９】ＧＤを考慮した調芯の実施例（反射側）を示した図である。
【図２０】ＧＤの小さい波長で調芯を行った場合と、ＧＤの比較的大きい波長で調芯を行った場合に反射波形の比較を行ったグラフ（反射側）である。
【図２１】図２０に示した波形の特性を示した表である。
【図２２】ＧＤを考慮した調芯の実施例（透過側）を示した図である。
【図２３】ＧＤ特性と透過量の関係を表したグラフ上で、ＧＤを考慮した調整波長を示した図である。
【図２４】ＧＤの小さい波長で調芯を行った場合と、ＧＤの比較的大きい波長で調芯を行った場合の反射波形の比較を行ったグラフ（透過側）である。
【図２５】図２４に示した波形の特性を示した表である。
【符号の説明】
【００５７】
１      入側光ファイバ  
２      出射部
３      誘電体多層膜フィルタ
４      受光部
５      出側光フィルタ
６      ケーシング
７      入出射部
８      出側光ファイバ
１１      入側光ファイバ  
１２      出射部
１３      誘電体多層膜フィルタ
１４      受光部
１５      出側光ファイバ
１６      ケーシング
１７      入出射部
１８      出側光ファイバ
【図１】
2005215623.tif 000003
【図２】
2005215623.tif 000004
【図３】
2005215623.tif 000005
【図４】
2005215623.tif 000006
【図５】
2005215623.tif 000007
【図６】
2005215623.tif 000008
【図７】
2005215623.tif 000009
【図８】
2005215623.tif 000010
【図９】
2005215623.tif 000011
【図１０】
2005215623.tif 000012
【図１１】
2005215623.tif 000013
【図１２】
2005215623.tif 000014
【図１３】
2005215623.tif 000015
【図１４】
2005215623.tif 000016
【図１５】
2005215623.tif 000017
【図１６】
2005215623.tif 000018
【図１７】
2005215623.tif 000019
【図１８】
2005215623.tif 000020
【図１９】
2005215623.tif 000021
【図２０】
2005215623.tif 000022
【図２１】
2005215623.tif 000023
【図２２】
2005215623.tif 000024
【図２３】
2005215623.tif 000025
【図２４】
2005215623.tif 000026
【図２５】
2005215623.tif 000027